(57)【特許請求の範囲】
【請求項１】
光を照射する光源と、
光源を点灯または消灯させる光源点灯手段と、
映像を表示させるために光源が照射した光を通過させる映像表示手段と、
映像表示手段を駆動し、光源点灯手段に光源の点灯または消灯を指示する点灯制御信号を出力する制御手段と、
制御手段を所定の初期状態に初期化する初期化手段と、
制御手段が出力する点灯制御信号を光源点灯手段に中継し、制御手段が出力する点灯制御信号が消灯を指示する信号から点灯を指示する信号に切り替わった場合には、一定時間の間、点灯を指示する信号のみを光源点灯手段に出力する中継手段とを備え、
制御手段は、電源投入時の第１の初期化後に、初期化手段に第２の初期化を要求し、前記要求の後に光源の点灯を指示する点灯制御信号を出力し、
初期化手段は、制御手段から前記要求を受けてから所定時間経過し、光源がノイズを生じさせなくなった後に制御手段の第２の初期化をする
ことを特徴とする映像投射装置。
【請求項２】
初期化手段は、電源投入時に制御手段を初期化し、
制御手段は、電源投入時の初期化後に、初期化手段に初期化を要求し、前記要求の後に光源の点灯を指示する点灯制御信号を出力し、
前記要求に基づく初期化後に、映像表示手段を駆動する
請求項１に記載の映像投射装置。
【請求項３】
制御手段が、映像投射装置が電源投入直後の状態であるのか、あるいは、光源が点灯している状態であるのかを示す情報を記憶する記憶手段を備え、
制御手段は、初期化後、記憶手段が記憶する情報に基づいて、映像投射装置が電源投入直後の状態の時には、初期化手段に初期化を要求した後に光源の点灯を指示する点灯制御信号を出力し、光源が点灯している状態の時には、映像表示手段を駆動する
請求項２に記載の映像投射装置。
【発明の詳細な説明】
【０００１】
【発明の属する技術分野】
本発明は、液晶パネル等を使用してスクリーン上に映像を投影する映像投射装置に関する。
【０００２】
【従来の技術】
映像をスクリーン上に投射して大画面の映像を表示する映像投射装置が知られている。映像投射装置は、光源としてランプを使用し、液晶パネル上に表示される映像をスクリーン上に投影する。映像投射装置は、液晶パネルやランプの他に、液晶パネルを駆動する制御回路と、ランプの点灯および消灯を切り替える点灯回路とを備える。
【０００３】
図５は、映像投射装置の外観の例を示す図である。映像投射装置１０１の内部には、制御回路、液晶パネル、点灯回路、ランプ等が配置されている。また、映像投射装置１０１は、投射レンズ１０２を備える。図６は、映像投射装置１０１の使用状態の説明図である。ランプから照射された光は、液晶パネルと投射レンズを通過する。投射レンズ１０２の向きをスクリーン１１１に向けることによって、スクリーン１１１上に映像が表示される。入力インタフェース１０３には、外部からの映像信号が入力される。制御回路は、この映像信号に基づいて液晶パネルを駆動し、液晶パネル上に表示される映像はスクリーン１１１上に投影される。
【０００４】
【発明が解決しようとする課題】
点灯回路は、ランプを消灯状態から点灯状態に切り替えたときに、数ｋＶ以上の電圧を発生させる。その結果、点灯状態への切替時にノイズが生じてしまう。すると、制御回路がノイズの影響を受け、誤動作をしてしまう場合がある。例えば、液晶パネルに所望の映像を表示させずに待機状態になってしまったり、正常な動作を全く行わない状態になってしまうことがある。特に、制御回路としてマイクロコンピュータが使用されることが多いため、ノイズの影響を受けやすい。
【０００５】
制御回路がノイズの影響を受けないようにするために、ノイズを遮断するシールドを強化したり、ランプを制御回路から遠ざけて配置している。しかし、シールドを強化すると、映像投射装置の生産コストが高くなるという問題が生じてしまう。また、ランプを制御回路から遠ざけるように配置すると、ランプや制御回路等の配置位置が制限され、映像投射装置を小型化することが困難になってしまう。
【０００６】
本発明は、ランプや制御回路の配置位置の自由度を高くすることができ、また、生産コストの上昇を抑えることができる映像投射装置を提供することを目的とする。
【０００７】
【課題を解決するための手段】
本発明による映像投射装置は、光を照射する光源と、光源を点灯または消灯させる光源点灯手段と、映像を表示させるために光源が照射した光を通過させる映像表示手段と、映像表示手段を駆動し、光源点灯手段に光源の点灯または消灯を指示する点灯制御信号を出力する制御手段と、制御手段を所定の初期状態に初期化する初期化手段と、制御手段が出力する点灯制御信号を光源点灯手段に中継し、制御手段が出力する点灯制御信号が消灯を指示する信号から点灯を指示する信号に切り替わった場合には、一定時間の間、点灯を指示する信号のみを光源点灯手段に出力する中継手段とを備え、制御手段は、電源投入時の第１の初期化後に、初期化手段に第２の初期化を要求し、その要求の後に光源の点灯を指示する点灯制御信号を出力し、初期化手段は、制御手段から要求を受けてから所定時間経過し、光源がノイズを生じさせなくなった後に制御手段の第２の初期化をすることを特徴とする。そのような構成によれば、光源を点灯させたときに生じるノイズの影響で点灯制御信号が安定しない場合であっても、光源の点灯状態を維持できる。
【０００８】
初期化手段は、電源投入時に制御手段を初期化し、制御手段は、電源投入時の初期化後に、初期化手段に初期化を要求し、その要求の後に光源の点灯を指示する点灯制御信号を出力し、要求に基づく初期化後に、映像表示手段を駆動する。
【０００９】
例えば、制御手段が、映像投射装置が電源投入直後の状態であるのか、あるいは、光源が点灯している状態であるのかを示す情報を記憶する記憶手段を備え、制御手段は、初期化後、記憶手段が記憶する情報に基づいて、映像投射装置が電源投入直後の状態の時には、初期化手段に初期化を要求した後に光源の点灯を指示する点灯制御信号を出力し、光源が点灯している状態の時には、映像表示手段を駆動する。そのような構成によれば、制御手段は、初期化後に実行すべき処理を判断することができる。
【００１５】
【発明の実施の形態】
以下、本発明の実施の形態を図面を参照して説明する。
図１は、本発明による映像投射装置の実施の一形態を示すブロック図である。制御回路１は、液晶パネル２を駆動し、液晶パネル２に映像を表示させる。また、点灯回路７にランプ８の点灯または消灯を指示する点灯制御信号を、後述する保持回路６に出力する。制御回路１は、初期化信号が入力されることにより所定の初期状態に初期化される。すなわち、予め定められている所定の状態に設定される。制御回路１は、初期化の後、映像投射装置の状態に応じた処理を行う。
【００１６】
液晶パネル２は、制御回路１に従って映像を表示する。また、映像投射装置の外部に設けられたスクリーンに映像を表示させるためにランプ８が照射した光を通過させる。液晶パネル２に表示された映像は、ランプ８の光によって映像投射装置の外部に設けられたスクリーンに投影される。
【００１７】
第一の初期化回路３は、映像投射装置の電源投入時に、後述する記憶回路４に初期化信号を出力する。
【００１８】
第二の初期化回路５は、制御回路１から初期化信号を要求されると、要求された時から所定時間経過後に初期化信号を制御回路１に出力して制御回路１を初期化する。また、第二の初期化回路５は、映像投射装置の電源投入時にも、初期化信号を制御回路１に出力して制御回路１を初期化する。
【００１９】
記憶回路４は、映像投射装置が電源投入直後の状態であるのか、あるいは、ランプ８が点灯している状態であるのかを示す情報（以下、状態情報と記す。）を記憶する。電源投入直後の状態を、以下、電源投入時状態と記す。また、ランプ８が点灯している状態を、以下、ランプ点灯状態と記す。記憶回路４は、第一の初期化回路３から初期化信号が入力されると、状態情報を電源投入時状態として保持する。その後、制御回路１の要求により、状態情報の内容を、電源投入時状態からランプ点灯状態に変更する。
【００２０】
制御回路１は、初期化の後、状態情報に基づいて、映像投射装置の状態に応じた処理を行う。すなわち、状態情報は、制御回路１が初期化後に実行すべき処理を特定する情報である。初期化後の状態が電源投入時状態であるならば、制御回路１は、記憶回路４に状態情報の内容をランプ点灯状態に変更するように要求し、また、第二の初期化回路５に初期化信号を要求する。さらに、制御回路１は、出力する点灯制御信号を、消灯を指示する信号（本例ではローレベルとする。）から点灯を指示する信号（本例ではハイレベルとする。）に切り替える。初期化後の状態がランプ点灯時状態であるならば、制御回路１は、液晶パネル２の駆動処理を実行する。
【００２１】
保持回路６は、制御回路１が出力する点灯制御信号を点灯回路７に中継する。ただし、点灯制御信号が消灯を指示する信号（ローレベル）から点灯を指示する信号（ハイレベル）に切り替わったときには、切り替わった時点から一定時間の間、制御回路１が出力する点灯制御信号いかんに関わらず、点灯を指示する信号（ハイレベル）のみを出力する。すなわち、制御回路１が出力する点灯制御信号が、ローレベルからハイレベルに切り替わったならば、その直後に点灯制御信号がローレベルに戻ってしまったとしても、保持回路６はハイレベルの信号を出力し続ける。一定時間が経過したなら、保持回路６は、再び制御回路１が出力する点灯制御信号を点灯回路７に中継する。
【００２２】
点灯回路７は、保持回路６から入力される信号に応じてランプ８を点灯または消灯させる。保持回路６から入力される信号がハイレベルならば、点灯回路７はランプ８を点灯させる。入力される信号がローレベルならば、点灯回路７はランプ８を消灯させる。
【００２３】
ランプ８が点灯時に照射する光は、液晶パネル２および投射レンズ（図１において、図示せず。）を通過する。図６に示すように、投射レンズをスクリーン方向に向けることによって、スクリーン上に映像が表示される。
【００２４】
本例において、光源はランプ８である。光源点灯手段は、点灯回路７である。映像表示手段は、液晶パネル２である。制御手段は、制御回路１である。初期化手段は、第二の初期化回路５である。記憶手段は、記憶回路４である。中継手段は、保持回路６である。
【００２５】
次に、電源を投入した後の動作について説明する。
図２は、電源を投入した後の動作タイミングの例を示す説明図である。電源を投入すると、第一の初期化回路３は記憶回路４に初期化信号を出力する。記憶回路４は、第一の初期化回路３から初期化信号が入力されると、状態情報を電源投入時状態として保持する。
【００２６】
また、第二の初期化回路５は、電源投入時に、制御回路１に初期化信号を出力して制御回路１を初期化する。この後、制御回路１は、保持回路６にローレベルの点灯制御信号の出力を開始する。
【００２７】
また、制御回路１は、初期化後、記憶回路４から状態情報を読み出して、映像投射装置の状態を判断する。このとき、状態情報は電源投入時状態であることを示している。従って、制御回路１は、記憶回路４に状態情報の内容をランプ点灯状態に変更するように要求する。記憶回路４は、この要求に応じて状態情報の内容をランプ点灯状態に変更する。ただし、この時点では、まだランプ８は点灯していない。続いて、制御回路１は、第二の初期化回路５に初期化信号を要求する。さらに、制御回路１は、保持回路６に出力する点灯制御信号をローレベルからハイレベルに切り替える。
【００２８】
保持回路６は、制御回路１が出力する点灯制御信号を点灯回路７に中継する。そして、保持回路６は、入力される点灯制御信号がハイレベルに切り替わると、切り替わった時点から一定時間ハイレベルの信号のみを点灯回路７に出力する。
【００２９】
点灯回路７は、保持回路６からの信号がローレベルである間は、ランプ８を消灯させる。保持回路６からの信号がハイレベルになると、ランプ８を点灯させる。ランプ８の点灯直後にはノイズが発生し、制御回路１はノイズの影響で誤動作する場合がある。ノイズによる誤動作の一態様として、制御回路１が点灯制御信号をハイレベルに維持できなくなることがある。すなわち、制御回路１が、点灯制御信号をローレベルからハイレベルに切り替えてランプ８を点灯させても、ノイズの影響で点灯制御信号をローレベルに戻してしまうことがある。しかし、制御回路１が点灯制御信号をハイレベルに維持できなくても、保持回路６は一定時間ハイレベルの信号のみを出力するので、点灯回路７はランプ８の点灯を持続させることができる。
【００３０】
また、第二の初期化回路５は、初期化信号の要求を受けてから、所定時間経過後に初期化信号を制御回路１に出力し、制御回路１を初期化する。ただし、この所定時間は、ランプ８がノイズを生じさせなくなってから第二の初期化回路５が初期化信号を出力するように定められる。
【００３１】
初期化によって、制御回路１はノイズの影響で誤動作をしていた状態から正常な動作を行う状態に復帰する。第二の初期化回路５が初期化信号の要求を受けてから初期化信号を出力するまでの間に、ノイズは収まっている。従って、制御回路１の二度目の初期化後は、ノイズの影響を受けることはない。制御回路１は、初期化後、記憶回路４から状態情報を読み出して、映像投射装置の状態を判断する。このとき、状態情報はランプ点灯状態であることを示している。従って、制御回路１は、液晶パネル２の駆動処理を実行する。
【００３２】
また、制御回路１が点灯制御信号をハイレベルに切り替えてから一定時間が経過すると、保持回路６は、制御回路１が出力するハイレベルの点灯制御信号を点灯回路７に中継する。保持回路６が、入力される点灯制御信号いかんに関わらずハイレベルのみを出力する時間は、制御回路１が点灯制御信号をハイレベルに切り替えてから、第二の初期化回路５が初期化信号を出力するまでの時間よりも長くなるように設定する。この結果、保持回路６は、制御回路１が正常な状態に復帰してから、点灯制御信号の中継を再開する。従って、点灯回路７はランプ８の点灯を持続させ、この状態で、制御回路１は、液晶パネル２の駆動を開始する。
【００３３】
本発明によれば、ランプ８の点灯時にノイズが生じても、制御回路４は、ノイズが生じなくなってから再度初期化される。従って、制御回路４は、ノイズの影響を受けたとしても、その状態を継続させずに、初期状態に復帰して正常な動作を行うことができる。よって、シールドを強化したり、ランプ８と制御回路１を遠ざけたりする必要がなく、生産コストの上昇を抑えることができ、また、ランプ８と制御回路１の配置の自由度を向上させることができる。
【００３４】
また、制御回路１が点灯制御信号をハイレベルに切り替えてから一定時間の間、保持回路６は、点灯を指示する信号のみを出力する。従って、点灯直後のノイズにより、制御回路１がハイレベルの点灯制御信号を安定して出力できなくても、ランプ８の点灯を持続させることができる。また、記憶回路４が状態情報を記憶しているので、制御回路１は、状態情報に基づいて初期化後に実行すべき処理を判断できる。
【００３５】
次に、本発明の他の実施の形態について説明する。
図３は、本発明による映像投射装置の他の実施の形態を示すブロック図である。図１に示す回路と共通する回路は、図１と共通の符号を付して説明する。本例において、液晶パネル２、第一の初期化回路３、記憶回路４、保持回路６、点灯回路７、およびランプ８の動作は、図１に示す場合と同様である。
【００３６】
本例の映像投射装置は、図１に示す第二の初期化回路５の代わりに、監視回路３１を備える。監視回路３１は、制御回路３０が誤動作しているか否かを監視するウォッチドッグタイマである。すなわち、監視回路３１は、時間経過のカウント（計測）の開始を指示する命令が入力されてから時間経過をカウントする。そして、所定時間が経過したことを計測すると、初期化信号を出力して制御回路３０を初期化する。また、監視回路３１は、電源投入時に制御回路３０に初期化信号を出力して制御回路３０を初期化する。
【００３７】
本例の制御回路３０は、上述の制御回路１と同様に、液晶パネル２の駆動、点灯制御信号の出力等を行う。また、初期化信号が入力されることにより所定の初期状態に設定される。ただし、初期化後の状態が電源投入時状態であるときに、初期化信号の要求は行わない。制御部３０は、初期化後の状態が電源投入時状態ならば、記憶回路４に状態情報の内容をランプ点灯状態に変更するように要求し、点灯制御信号を、消灯を指示する信号（ローレベルとする。）から点灯を指示する信号（ハイレベルとする。）に切り替える。初期化後の状態がランプ点灯時状態であるならば、制御回路３０は、液晶パネル２の駆動処理を実行する。
【００３８】
また、本例の制御回路３０は、定期的に監視回路３１に、時間経過のカウントの開始を指示する命令（以下、ＣＬＲＷＤＴ命令と記す。）を出力する。監視回路３１は、ＣＬＲＷＤＴ命令が入力される度に、時間経過のカウントを０からやり直す。制御回路３０は、監視回路３１が初期化信号を出力するまでの時間よりも短い間隔で、ＣＬＲＷＤＴ命令を出力する。このような間隔でＣＬＲＷＤＴ命令が監視回路３１に入力されると、監視回路３１は時間経過のカウントの途中でカウントを０からやり直すので、初期化信号を出力しない。
【００４０】
図４は、本例の映像投射装置の動作タイミングの例を示す説明図である。電源を投入すると、第一の初期化回路３は記憶回路４に初期化信号を出力する。記憶回路４は、第一の初期化回路３から初期化信号が入力されると、状態情報を電源投入時状態として保持する。
【００４１】
また、監視回路３１は、電源投入時に、制御回路３０に初期化信号を出力して制御回路３０を初期化する。この後、制御回路３０は、保持回路６にローレベルの点灯制御信号の出力を開始する。また、監視回路３１にＣＬＲＷＤＴ命令を定期的に出力する動作を開始する。
【００４２】
また、制御回路３０は、初期化後、記憶回路４から状態情報を読み出して、映像投射装置の状態を判断する。このとき、状態情報は電源投入時状態であることを示している。従って、制御回路３０は、記憶回路４に状態情報の内容をランプ点灯状態に変更するように要求する。記憶回路４は、この要求に応じて状態情報の内容をランプ点灯状態に変更する。ただし、この時点では、まだランプ８は点灯していない。さらに、制御回路３０は、保持回路６に出力する点灯制御信号をローレベルからハイレベルに切り替える。
【００４３】
制御回路３０が、点灯制御信号をハイレベルに切り替えたときの保持回路６、点灯回路７、およびランプ８の動作は、図２に示す場合と同様である。
【００４４】
点灯回路７は、保持回路６からの信号がハイレベルになると、ランプ８を点灯させる。ランプ８の点灯直後にはノイズが発生し、制御回路３０はノイズの影響で誤動作する場合がある。制御回路３０は、誤動作するとＣＬＲＷＤＴ命令を出力しなくなる。すると、監視回路３１は、所定時間が経過したことを計測し、制御回路３０に初期化信号を出力して制御回路３０を初期化する。
【００４５】
初期化によって、制御回路３０はノイズの影響で誤動作をしていた状態から正常な動作を行う状態に復帰する。制御回路３０は、初期化後、記憶回路４から状態情報を読み出して、映像投射装置の状態を判断する。このとき、状態情報はランプ点灯状態であることを示している。従って、制御回路３０は、液晶パネル２の駆動処理を実行する。
【００４６】
なお、復帰後に再びノイズの影響を受けて誤動作した場合には、制御回路３０は、またＣＬＲＷＤＴ命令を出力しなくなる。この結果、再び監視回路３１は、初期化信号を出力して制御回路３０を初期化する。制御回路３０および監視回路３１は、ノイズの影響を受けなくなるまでこの動作を繰り返す。
【００４７】
また、制御回路３０が点灯制御信号をハイレベルに切り替えてから一定時間が経過すると、保持回路６は、制御回路３０が出力するハイレベルの点灯制御信号を点灯回路７に中継する。本例では、制御回路３０の点灯制御信号いかんに関わらず保持回路６がハイレベルを出力する時間は、ノイズの持続時間と、監視回路３１が初期化信号を出力するまでの所定の時間との和よりも長くなるように設定する。この結果、保持回路６は、制御回路３０が正常な状態に復帰してから、点灯制御信号の中継を再開する。従って、点灯回路７はランプ８の点灯を持続させ、この状態で、制御回路３０は、液晶パネル２の駆動を開始する。
【００４８】
本例の映像投射装置では、制御回路３０は、ノイズの影響で誤動作しても、初期化され、初期状態に復帰して正常な動作を行うことができる。従って、シールドを強化したり、ランプ８と制御回路３０遠ざけたりする必要がない。この結果、生産コストの上昇を抑えることができ、また、ランプ８と制御回路３０の配置の自由度を向上させることができる。
【００４９】
また、図１に示した実施の形態と同様に、点灯直後のノイズにより制御回路３０がハイレベルの点灯制御信号を安定して出力できなくても、ランプ８の点灯を持続させることができる。そして、記憶回路４が状態情報を記憶しているので、制御回路３０は、状態情報に基づいて初期化後に実行すべき処理を判断できる。
【００５０】
【発明の効果】
本発明の映像投射装置によれば、制御手段は、電源投入時の第１の初期化後に、初期化手段に第２の初期化を要求し、その要求の後に光源の点灯を指示する点灯制御信号を出力し、初期化手段は、制御手段から要求を受けてから所定時間経過し、光源がノイズを生じさせなくなった後に制御手段の第２の初期化をするので、制御手段は、光源点灯時に生じるノイズの影響を受けたとしても、正常な動作をする状態に復帰できる。従って、光源を制御手段から遠ざけて配置する必要がなく、光源や制御手段の配置の自由度を向上させることができる。また、ノイズを遮断するシールドを強化する必要がなく、生産コストの上昇を抑えることができる。
【図面の簡単な説明】
【図１】  本発明による映像投射装置の実施の一形態を示すブロック図である。
【図２】  動作のタイミングの例を示す説明図である。
【図３】  本発明による映像投射装置の他の実施の形態を示すブロック図である。
【図４】  動作のタイミングの例を示す説明図である。
【図５】  映像投射装置の外観図である。
【図６】  映像投射装置の使用状態の説明図である。
【符号の説明】
１  制御回路
２  液晶パネル
３  第一の初期化回路
４  記憶回路
５  第二の初期化回路
６  保持回路
７  点灯回路
８  ランプ
【図１】
0003735574.tif 000002
【図２】
0003735574.tif 000003
【図３】
0003735574.tif 000004
【図４】
0003735574.tif 000005
【図５】
0003735574.tif 000006
【図６】
0003735574.tif 000007